(57)【要約】 【課題】ＩＤ要素のデータは正確に読み取ることができても、ＩＤ要素が本人のものであるかどうかはチェックできない不都合を解消しようとするものである。【解決手段】ＩＤ要素１の情報を読取るＩＤ読取器２を有し、そのＩＤ情報読み取り時にＩＤ要素１の携帯者Ｐの顔写真３を併せて撮影するためのカメラ４を具備することにより、ＩＤ管理システムのＩＤ読取器によりＩＤ要素の情報を読取ると共に、そのＩＤ情報読み取り時にＩＤ要素の携帯者の顔写真を併せて撮影するすることができ、ＩＤ要素の認識により勤怠のチェックを行うにあたり、ＩＤ要素が本人のものであるかどうかもチェックすることができて、精度の高い勤怠チェックシステムを構築することができた。【選択図】図１
2009015797.tif 000002
【特許請求の範囲】
【請求項１】
ＩＤ要素１の情報を読取るＩＤ読取器２を有し、そのＩＤ情報読み取り時にＩＤ要素１の携帯者Ｐの顔写真３を併せて撮影するためのカメラ４を具備することを特徴とするＩＤ情報収集システム。
【請求項２】
ＩＤ読取器２によりＩＤ要素１の情報を読取ると共に、そのＩＤ情報の読み取り時に撮影された携帯者Ｐの顔写真３をＩＤ読取器２により読取られた情報と併せて表示するようにしたことを特徴とするＩＤ情報収集表示システム。
【請求項３】
データベース５に予めＩＤ要素１の携帯者Ｐの顔写真３０を登録しておき、ＩＤ読取器２によりＩＤ要素１の情報を読取ると共に、そのＩＤ情報の読み取り時に撮影された携帯者Ｐの顔写真３を前記予め登録された顔写真３０と並べて表示するようにしたことを特徴とするＩＤ情報収集表示システム。
【発明の詳細な説明】
【技術分野】
【０００１】
本発明は、ＩＤ要素をチェックする際にそのＩＤ要素の携帯者、特にその顔も併せてチェックすることにより、ＩＤデータの行動裏付けの信憑性の向上を図り得るＩＤ情報収集システム及びＩＤ情報収集表示システムに関する。
【背景技術】
【０００２】
現在、セキュリティや作業効率の向上、或いは行動のチェック・記録を目的として、ＩＤカードやＩＤタグに個々の情報を書き込み、それを管理システムのＩＤ読取器で読取るシステムが多用されている。例えばスーパーのレジ係のような現場では、レジに設置されたＩＤ読取器で物品のＩＤタグの情報を読取ることにより情報を収集してレジ作業に使用している。また人物がＩＤカードを携行し、出入口に設置されたＩＤ読取器により、通過する際にＩＤ情報を読取り、許可者のみが通過できるようにしているのもその一例である。またタイムレコーダ的に勤怠システムを構築するものもある。
【０００３】
そしてそれは、勤怠データ、業務遂行データ等に幅広く適用されているが、ＩＤ要素自体の情報は正確に把握できるものの、そのＩＤ要素を誰が携帯しているかまでは特定できない懸念が残った。即ち、なりすましや、ＩＤ要素の入れ違いがあっても、間違ったＩＤ要素のデータとして記録・評価されてしまう懸念が残った。これは社員数など、管理総数が多くなるほどその正確な把握が困難となるものであった。これを解消する手段として例えば指紋や静脈等の生体情報をチェックするようにしたものもあるが、システムが複雑で極めて高価になり、高コストを容認できる特殊な用途に限られる欠点があった。
【特許文献１】特開２００６−６５６４９
【特許文献２】特開２００６−９９４５７
【発明の開示】
【発明が解決しようとする課題】
【０００４】
そこで本発明は、全体管理システムのＩＤ読取器によるＩＤ要素のＩＤ情報の認識のみならず、そのＩＤ要素の携帯者の外観、殊に顔を同時にチェックすることにより、システムの活用範囲の拡大と統合及び簡略化を図ろうとするものである。
【課題を解決するための手段】
【０００５】
本発明の主たる特徴は、ＩＤ要素１の情報を読取るＩＤ読取器２を有し、そのＩＤ情報読み取り時にＩＤ要素１の携帯者Ｐの顔写真３を併せて撮影するためのカメラを４具備したことであって、これによりＩＤ管理システムのＩＤ読取器によりＩＤ要素の情報を読取ると共に、そのＩＤ情報読み取り時にＩＤ要素の携帯者の顔写真を併せて撮影して携帯者とＩＤ要素の整合性のチェックも含めるようにしたことである。
【発明の効果】
【０００６】
従来は上述のように、全体の管理システムの下ではそのＩＤ読取器によりＩＤ要素はＩＤ情報が認識され記録・チェックされるが、ＩＤ要素自体の行動等のチェックにしかならず、そのＩＤ要素を携帯する人物との関連が不問の状態で管理されていたと言えるが、本発明にあっては、ＩＤ要素のデータをチェックする際に同時にそのＩＤ要素を携帯する人物のチェックも併せて行うので、人物とＩＤ要素のペアリングもチェックできるため、故意又は過失によりＩＤ要素とそれを携帯する人物が一致しない場合もチェッ、ＩＤ要素とそれを携帯する人物との整合性までチェックするようにして簡単に精度の高いＩＤ情報収集が行えるものである。
【発明を実施するための最良の形態】
【０００７】
（基本タイプ：勤怠管理システム）
ＩＤ要素１は、その使用形態に応じて、カード、タグ、リストバンド等任意の形態が可能であるが、一般的な個人カードで赤外線を用いたＩＤ要素（一般にＩＤカードと称されている）を例にして説明する。ＩＤ要素１は図２、図３のように表示部分に所属や氏名等１１とともに顔写真３０が取込まれたカード部１ａと、発信部１２を備えた通信部1ｂとより成る。両者は透明なホルダ１３のそれぞれのポケット１３ａ、１３ｂに収容され、携帯者Ｐは紐やクリップなどで首に掛けたり衣服に装着したりして常時携行するものとする。発信部１２は、ＣＰＵ、フォトＴｒのような受光部１５、赤外線ＬＥＤのような発光部１６、赤ＬＥＤのような表示部１７より成り、ボタン電池１８により駆動される。１９はスイッチ、２０は情報表示部である。
【０００８】
ＩＤ要素１は、ＩＤ情報（データ）を管理するＩＤデータベース５により個人情報が管理されるもので、図４のように先ずサーバ又は端末機等の管理コンピュータに付設したカメラによりその個人の写真を撮り込んで画像情報を記録し、情報管理すると共に、所属、氏名等の個人情報の表示と併せて顔写真３０を印刷してカード部１ａを調製する。また、通信部１ｂは、携帯者Ｐの個々に振り当てられたＩＤ情報を赤外線によりメモリに書込んで調製される。これにより、個人の表示とＩＤ情報の処理とを行なうカードタイプのＩＤ要素１が得られる。
【０００９】
通信部１ｂに組み込まれる発信部１２には情報書込み装置により各人に個別の割当てられた個々に異なる赤外線ＩＤ情報が書込まれる。以後、電池１８により所定の赤外線が常時或いは必要な時適宜に発信され、受信機により受信認識されると、発光ダイオードが点滅したり、音を発したりできる。受信機側で発光、発音しても良い。尚、赤外線の発信は、連続的に行なうこともできるが、間欠的に行なうこともできる。間欠的に行う時は、電池１８の消耗が少なくなるので長期の使用が可能となり、有利である。更にはスイッチ１９で必要な時のみ通電することもできる。
【００１０】
また必要に応じてＩＤ要素１はＩＤ読取器２との通信ＩＤ情報を不揮発メモリＭに書込み保存する。同時にＩＤ要素１が持っている時計（リアルタイムクロック）ＲＴＣから通信時刻（日、時、分等）を読取って参照し、メモリＭに保存する。書き込まれた情報を情報表示部２０で確認すればスイッチ１９を切る。このような操作を患者毎に繰り返して記録して行く。そして一日の回診業務が終われば朱ＩＤ要素１の保存情報をパソコンＰＣに入力し、パソコンＰＣのプログラムにより各種集計・管理処理を行うことも可能である。
【００１１】
また図示例ではパソコンＰＣとＩＤ要素１との通信はＵＳＢを介して行っているが、その他メモリーカード、無線通信等を状況、必要に応じて任意のものを採用することができる。また時計ＲＴＣは常時通電のためのバックアップ電池２１で駆動される。
【００１２】
ここで本発明を勤怠システムに適用した例を説明する。携帯者Ｐである各社員は全員ＩＤ要素１を携帯するもので、図１のようにＩＤ要素１を携帯してチェックポイントを通過する。チェックポイントには赤外線コントローラのようなＩＤ読取器２、タッチパネル６が設置され、タッチパネル６は前記ＩＤデータベース８に接続されている。また併せてカメラ４が設置されている。
【００１３】
出勤した社員、即ち携帯者Ｐはチェックポイントを通過する際、タッチパネル６の画面の表示、例えば、図８のように出勤、退勤、外出、戻りの表示のうち、該当するいずれかを指先でタッチすると、先ずＩＤ読取器２がそのＩＤ要素１のデータを読み取り、その時の時刻とそのデータを認識する。併せてカメラが動作して社員の顔を撮影しデータをＩＤデータベース５に送信する。これにより、何時何分に、誰が、出勤、退勤、外出或いは戻ったか（これらの項目は適宜に設定すれば良い。）を図６のようにその際の顔写真３と併せて記録するものである。尚、ＩＤ要素１のデータをＩＤ読取器２により読み取れない場合に備え、必要に応じてテンキー３１によりＩＤコード等を手入力することができるようにしても良い。この図６の状態は、ＩＤデータベース５に接続されたディスプレイ、或いは適宜配置した操作用パソコンのディスプレイに表示し、或いはプリントアウトすることができる。
【００１４】
この場合、ＩＤデータベース５では必要に応じて、各社員の表示部に予め撮影した顔写真３０を表示しておき、図７のように上記の勤怠記録時の顔写真３とを並べて表示し比較できるようにすることもできる。この場合もその表示は、ＩＤデータベース５に接続されたディスプレイ、或いは適宜配置した操作用パソコンのディスプレイに表示し、或いはプリントアウトすることができる。
【００１５】
これらの勤怠チェックを行うことにより、例えば図５のようにゲートＧの開閉を行い、セキュリティ確保のため、チェックされたものだけがゲートＧを通過することができるようにしても良い。
【００１６】
また、複数の拠点でそれぞれの勤怠チェックシステムを構築し、図９のようにそれを本社などの勤怠統括管理システムにデータを送信し、全体管理を行うことができる。このような操作を各社員毎に繰り返して記録して行く。そして一日毎、或いは月単位、所定の期間単位での集計が終わればそのデータを基にしてパソコンＰＣのプログラムにより各種集計・管理処理を行う。また、必要に応じて、給与パッケージにデータを送信して給与計算の基礎データとすることもできる。
【００１７】
ここで上記説明は赤外線通信を用いてＩＤ要素１とＩＤデータベース４間の通信を行っているが、他の通信手段によることもできる。
【００１８】
（病院スタッフのリアルタイム勤怠管理システムの例）
ＩＤ要素１の携帯者Ｐを医師、看護師、理学療養士、事務員等とすれば、病院のスタッフの勤怠システムとすることができる。各スタッフの勤怠状況は上記と同様にして把握できる。これらのデータを集計し、スタッフの勤怠状況を図１０のようにディスプレイに表示させたり、プリントアウトさせることにより、リアルタイムにスタッフの勤怠状況を把握できる。また図１１のように各フロア、各診療科、部署別の集計を表示5させることにより、スタッフの配置状況を即座に把握して適正配置の判断基礎とすることができる。勿論、病院以外に、建築現場や各種製造現場、その他スタッフの勤怠が絡む総ての業種でアレンジして適用することができる。
【産業上の利用可能性】
【００１９】
現行の勤怠管理システムではＩＤ要素をそのデータを持つ本人が携帯していることを前提として構築されているが、故意又は過失によりあるＩＤ要素を本人以外が誤って携帯する場合は、本人と異なる他人のデータが勤怠記録として保存されてもそれはチェックしようがなかったが、本発明ではそれがチェックされ、正確な本人の勤怠データを記録することができるものであり、信頼性の高い勤怠システム、或いはそれをベースにした社員評価システム、給与計算システムを構築することが可能となる。
【００２０】
また、勤怠記録欄に予め社員の顔写真を記録しておき、日々の勤怠チェック時の記録時の顔写真を予め撮った顔写真と並べて記録するようにしておくと、社員数が多い場合のようにチェック判定者が全員の顔を認識できない場合でも、正確に本人判定が行える。
【００２１】
また、スタッフのリアルタイムな勤怠状況を正確に把握できるので、適正配置の重要な基礎データとして活用することもできる。
【図面の簡単な説明】
【００２２】
【図１】本発明の1実施例の概略観念図。
【図２】本発明に用いるＩＤ要素の1例の斜視図。
【図３】同上のＩＤ要素の概略構成図。
【図４】同上のＩＤ要素の作成概略説明図。
【図５】本発明をセキュリティチェックに用いた概略説明図。
【図６】同上の基本的な勤怠データ表示画面の概略説明図。
【図７】同上の顔写真を比較する勤怠データ表示画面の概略説明図。
【図８】同上のタッチパネルの表示の一例を示す概略説明図。
【図９】本発明のシステムをＬＡＮで複数組接続し、複数の拠点の勤怠データを本社の勤怠システムで統合管理する例の概略説明図。
【図１０】本発明システムをリアルタイム勤怠把握できるように一覧表示できるようにした表示例の一部部省略の説明図。
【図１１】同上の集計表示の一例の説明図。
【符号の説明】
【００２３】
１  ＩＤ要素
２  ＩＤ読取器
３  顔写真
４  カメラ
５  ＩＤデータベース
３０  顔写真
【図１】
2009015797.tif 000003
【図２】
2009015797.tif 000004
【図３】
2009015797.tif 000005
【図４】
2009015797.tif 000006
【図５】
2009015797.tif 000007
【図６】
2009015797.tif 000008
【図７】
2009015797.tif 000009
【図８】
2009015797.tif 000010
【図９】
2009015797.tif 000011
【図１０】
2009015797.tif 000012
【図１１】
2009015797.tif 000013
【手続補正書】
【提出日】平成19年7月11日(2007.7.11)
【手続補正１】
【補正対象書類名】明細書
【補正対象項目名】０００６
【補正方法】変更
【補正の内容】
【０００６】
従来は上述のように、全体の管理システムの下ではそのＩＤ読取器によりＩＤ要素はＩＤ情報が認識され記録・チェックされるが、ＩＤ要素自体の行動等のチェックにしかならず、そのＩＤ要素を携帯する人物との関連が不問の状態で管理されていたと言えるが、本発明にあっては、ＩＤ要素のデータをチェックする際に同時にそのＩＤ要素を携帯する人物のチェックも併せて行うので、人物とＩＤ要素のペアリングもチェックできるため、故意又は過失によりＩＤ要素とそれを携帯する人物が一致しない場合もチェックし、ＩＤ要素とそれを携帯する人物との整合性までチェックするようにして簡単に精度の高いＩＤ情報収集が行えるものである。